(57)【要約】【課題】広告の機会を増やし、広告効果を向上させることができる音声広告配信装置、音声広告配信システムおよび音声広告配信方法を提供すること。【解決手段】音声広告配信システム１０は、音声広告データを配信する音声広告配信装置１００と、インターネット２０を介して音声広告配信装置１００に接続され、音声広告データを受信するユーザ端末２００と、このユーザ端末２００に接続され、音声広告データを受信して再生する音声再生装置３００と、音声広告データを提供する広告主端末４００と、を備えている。音声広告配信装置１００は、ユーザに適した音声広告データを抽出する音声広告抽出手段１４０と、音声コンテンツに音声広告データを組み込んで配信する音声コンテンツ配信手段１５０と、を備えている。【選択図】図１
2010146188.tif 000002
【特許請求の範囲】
【請求項１】
ネットワークを介して接続された端末装置に音声広告データを配信する音声広告配信装置であって、
前記端末装置を操作するユーザに関する情報を前記ユーザごとに記憶したユーザ情報記憶手段と、
前記音声広告データを記憶した音声広告情報記憶手段と、
前記端末装置から要求される音声コンテンツを記憶した音声コンテンツ記憶手段と、
前記ユーザを特定するユーザ特定情報を前記端末装置から取得するユーザ情報取得手段と、
前記ユーザ特定情報と前記ユーザ情報記憶手段に記憶された前記ユーザとを関連付けて取得されるユーザに関する情報に基づいて、前記ユーザに適した個人向けの音声広告データを前記音声広告情報記憶手段から抽出する音声広告抽出手段と、
前記端末装置から要求された音声コンテンツを取得する音声コンテンツ取得手段と、
前記音声コンテンツ内に予め設定された広告データ挿入位置に、前記個人向けに抽出された音声広告データを挿入することにより前記抽出した音声広告データと前記音声コンテンツとを合成し、前記端末装置へ配信するデータ送信手段と、を備えた
ことを特徴とする音声広告配信装置。
【請求項２】
請求項１に記載の音声広告配信装置において、
前記ユーザに関する情報は、前記ネットワーク上における前記ユーザの行動に関する行動履歴を含み、
前記音声広告抽出手段は、前記行動履歴を解析し、この解析結果に基づいて前記ユーザに適した音声広告データを抽出する
ことを特徴とする音声広告配信装置。
【請求項３】
請求項２に記載の音声広告配信装置において、
カテゴリとこのカテゴリに分類されるキーワードとを関連付けて記憶するカテゴリ記憶手段をさらに備え、
前記音声広告抽出手段は、前記行動履歴を表すキーワードと前記カテゴリ記憶手段に記憶されたキーワードとを関連付けて前記行動履歴のカテゴリを取得し、このカテゴリに分類される音声広告データを抽出する
ことを特徴とする音声広告配信装置。
【請求項４】
請求項１から請求項３のいずれかに記載の音声広告配信装置と、
この音声広告配信装置にネットワークを介して接続され、前記音声広告データを受信する受信手段と前記音声広告データを再生する再生手段とを備えた端末装置と、を具備した
ことを特徴とする音声広告配信システム。
【請求項５】
請求項４に記載の音声広告配信システムにおいて、
前記端末装置は、
前記音声広告データを送受信する送受信手段を備えた第１の端末装置と、
前記第１の端末装置にデータ受信可能に接続され、前記音声広告データを受信する受信手段と前記音声広告データを再生する再生手段とを備えた第２の端末装置とを有する
ことを特徴とする音声広告配信システム。
【請求項６】
ネットワークを介して接続された端末装置に音声広告データを配信する音声広告配信方法であって、
前記端末装置を操作するユーザを特定するユーザ特定情報を前記端末装置から取得するユーザ情報取得ステップと、
前記ユーザ特定情報と前記ユーザに関する情報が記憶されたユーザ情報記憶手段のユーザとを関連付けて取得されるユーザに関する情報に基づいて、音声広告データが記憶された音声広告情報記憶手段から前記ユーザに適した音声広告データを抽出する音声広告抽出ステップと、
前記端末装置から要求された音声コンテンツを取得する音声コンテンツ取得ステップと、
前記抽出した音声広告データと前記音声コンテンツとを合成し、前記端末装置へ配信するデータ送信ステップと、を備えた
ことを特徴とする音声広告配信方法。
【発明の詳細な説明】
【技術分野】
【０００１】
本発明は、ネットワーク上で音声広告を配信する音声広告配信装置、音声広告配信システムおよび音声広告配信方法に関する。
【背景技術】
【０００２】
従来、インターネットの普及により、インターネット上の任意のウェブページに広告を掲載した情報発信が行われている。広告効果をより向上させるために、閲覧者の年齢、性別、住所などの属性や、閲覧者が閲覧するページ、検索するキーワード、およびクリックする広告の種類などの行動情報に基づいて、閲覧者に適した広告を表示させる技術が知られている（例えば、特許文献１参照）。
【０００３】
【特許文献１】特開２００７−２４１７１３号公報
【発明の開示】
【発明が解決しようとする課題】
【０００４】
しかしながら、上記のような従来技術では、ウェブページ上に広告が掲載されるため、ユーザはパーソナルコンピュータ等の操作中にその広告を閲覧することになるが、ウェブページ閲覧時は、何らかの情報を求めている場合が多く、必ずしも広告に注目するとは限らないため、より高い広告効果を得られる技術が潜在的に希求されていた。
また、ウェブページ上に掲載する広告は、ユーザが視覚的に情報を得ることを前提としており、例えば、他の作業を行いながら広告情報を得ることができないため、広告の機会が限られているという限界もあった。
【０００５】
本発明の目的は、広告の機会を増やし、広告効果を向上させることができる音声広告配信装置、音声広告配信システムおよび音声広告配信方法を提供することである。
【課題を解決するための手段】
【０００６】
本発明の音声広告配信装置は、ネットワークを介して接続された端末装置に音声広告データを配信する音声広告配信装置であって、前記端末装置を操作するユーザに関する情報を前記ユーザごとに記憶したユーザ情報記憶手段と、前記音声広告データを記憶した音声広告情報記憶手段と、前記端末装置から要求される音声コンテンツを記憶した音声コンテンツ記憶手段と、前記ユーザを特定するユーザ特定情報を前記端末装置から取得するユーザ情報取得手段と、前記ユーザ特定情報と前記ユーザ情報記憶手段に記憶された前記ユーザとを関連付けて取得されるユーザに関する情報に基づいて、前記ユーザに適した個人向けの音声広告データを前記音声広告情報記憶手段から抽出する音声広告抽出手段と、前記端末装置から要求された音声コンテンツを取得する音声コンテンツ取得手段と、前記音声コンテンツ内に予め設定された広告データ挿入位置に、前記個人向けに抽出された音声広告データを挿入することにより前記抽出した音声広告データと前記音声コンテンツとを合成し、前記端末装置へ配信するデータ送信手段と、を備えたことを特徴とする。
【０００７】
この発明では、ユーザ情報記憶手段、音声広告情報記憶手段、音声コンテンツ記憶手段、ユーザ情報取得手段、音声広告抽出手段、音声コンテンツ取得手段、およびデータ送信手段が協働して、ネットワークを介して接続された端末装置に、ユーザに最適な音声広告を送信する。ここで、ユーザに最適な音声広告とはユーザの嗜好や興味に適合する音声広告であり、商品の購入に最も結びつきやすく、高い広告効果を得ることができることを意味する。
【０００８】
ユーザ情報記憶手段には、ユーザの属性に関する情報とユーザの行動に関する情報が記憶される。ユーザの属性に関する情報としては、年齢、性別、住所等の個人情報やアンケートの回答により得られる趣味や嗜好に関する情報などが挙げられる。また、ユーザの行動に関する情報とは、ユーザがネットワーク上で行動する内容が履歴として記憶されるものであり、例えば、ユーザが閲覧したウェブページのＵＲＬ（Ｕｎｉｆｏｒｍ  Ｒｅｓｏｕｒｃｅ  Ｌｏｃａｔｏｒ）、ユーザが検索サイト上で検索したキーワード、ユーザが閲覧したウェブページに掲載された広告に関する情報、およびユーザがクリックした広告に関する情報などが挙げられる。
【０００９】
音声広告情報記憶手段には、広告主から提供される音声広告データが記憶される。
音声コンテンツ記憶手段には、ユーザから要求されるラジオや音楽番組などの音声コンテンツが記憶される。
ユーザ情報取得手段は、ユーザを特定するためのユーザ特定情報を端末装置から取得する。ユーザ特定情報としては例えば、ＩＤおよびパスワードや、ｃｏｏｋｉｅに記憶された情報が挙げられるが、ユーザを特定できるものであればこれらに限られない。
音声広告抽出手段は、取得したユーザ特定情報により特定されるユーザに関する情報を取得し、この情報に基づいて、該ユーザに最適な音声広告データを音声広告記憶手段から抽出する。
データ送信手段は、ユーザが要求した音声コンテンツを取得し、この音声コンテンツと抽出した音声広告データとを合成して端末装置に送信する。
【００１０】
このように、音声広告データを音声コンテンツの途中にコマーシャル（ｃｏｍｍｅｒｃｉａｌ、ＣＭ）として合成（挿入）するので、ユーザは、音声コンテンツを聴いている間にこの音声広告を聴く。このとき、ユーザが興味を持ちやすい内容の音声広告が流れるので、ユーザは音声広告に注意を向けやすく、高い広告効果を得ることができる。
また、ユーザは、家事や他の作業をしながらでも音声コンテンツを聴くことができる。したがって、広告する機会を増やすことができ、広告効果の向上を図ることができる。さらに、他の作業と並行して音声コンテンツを聴く場合、ユーザは音声コンテンツに注意を向けていることが多い。したがって、音声コンテンツの途中で流れる音声広告にもユーザの注意が向きやすいので、より高い広告効果を得ることができる。
【００１１】
本発明の音声広告配信装置において、前記ユーザに関する情報は、前記ネットワーク上における前記ユーザの行動に関する行動履歴を含み、前記音声広告抽出手段は、前記行動履歴を解析し、この解析結果に基づいて前記ユーザに適した音声広告データを抽出することが好ましい。
【００１２】
ユーザの行動に関する行動履歴とは、前述のとおりである。ユーザは、知りたい情報を得るためにネットワークを利用することがほとんどであるため、ネットワーク上におけるユーザの行動はユーザの興味を示す。すなわち、ユーザの行動履歴を解析することにより、ユーザの興味を推定することができる。
以上のように、音声広告抽出手段は、ユーザの行動に関する行動履歴を解析することによってユーザの興味を推定し、ユーザに適した音声広告データを抽出するので、その音声広告にはユーザがより注意を向けやすい。したがって、より高い広告効果を得ることができる。
【００１３】
本発明の音声広告配信装置において、カテゴリとこのカテゴリに分類されるキーワードとを関連付けて記憶するカテゴリ記憶手段をさらに備え、前記音声広告抽出手段は、前記行動履歴を表すキーワードと前記カテゴリ記憶手段に記憶されたキーワードとを関連付けて前記行動履歴のカテゴリを取得し、このカテゴリに分類される音声広告データを抽出することが好ましい。
【００１４】
この発明によれば、ユーザの行動履歴とカテゴリ記憶手段とを関連付けることにより、行動履歴のカテゴリを取得することができる。そして、取得したカテゴリに分類される音声広告データを抽出することで、ユーザの行動履歴に適した音声広告データを抽出することができる。
なお、音声広告情報記憶手段に記憶されている音声広告データのカテゴリを予め設定しておくことで、容易にユーザの行動履歴に適した音声広告データを抽出することができる。
【００１５】
本発明の音声広告配信システムは、前述の音声広告配信装置と、この音声広告配信装置にネットワークを介して接続され、前記音声広告データを受信する受信手段と前記音声広告データを再生する再生手段とを備えた端末装置と、を具備したことを特徴とする。
【００１６】
この発明では、音声広告配信装置と端末装置とがネットワークを介して接続されている。すなわち、ユーザが端末装置を操作して送信した情報に基づいて、音声広告配信装置は、ユーザに適した音声広告データを抽出し、要求された音声コンテンツに音声広告データを挿入して端末装置に送信する。端末装置では、この音声広告データを受信手段で受信し、再生手段により音声広告データを再生させる。
このように、端末装置により、音声広告データが再生されるので、ユーザは端末装置を操作していないときでも、端末装置から流れる音声を聴くことができる。すなわち、ユーザは、家事や他の作業をしながらでも音声広告を聴くことができるので、広告の機会を増やすことができる。また、音声広告配信装置によりユーザに適した音声広告データが抽出されるので、再生された音声広告にユーザが関心を持ちやすく、より高い広告効果を得ることができる。
【００１７】
本発明の音声広告配信システムにおいて、前記端末装置は、前記音声広告データを送受信する送受信手段を備えた第１の端末装置と、前記第１の端末装置にデータ受信可能に接続され、前記音声広告データを受信する受信手段と前記音声広告データを再生する再生手段とを備えた第２の端末装置とを有することが好ましい。
【００１８】
この発明によれば、第１の端末装置がネットワークを介して音声広告配信装置に接続され、音声広告配信装置から音声広告データを受信する。第２の端末装置は、第１の端末装置にデータ送受信可能に接続され、第１の端末装置から送信される音声広告データを受信手段で受信し、この音声広告データを再生手段で再生する。
このように、第１の端末装置と第２の端末装置とに分けることにより、第２の端末装置の構成を受信手段と再生手段の簡単な構成かつ持ち運び可能な構成にすることができる。すなわち、第１の端末装置からデータ受信可能な位置であれば、第２の端末装置をどこに配置してもよい。したがって、ユーザは、宅内で料理や洗濯等の家事、入浴など、他の作業をしながらでも、第２の端末装置で再生される音声広告データを聴くことができるため、ユーザが音声広告を聴く機会を増やすことができ、広告効果を向上させることができる。
【００１９】
本発明の音声広告配信方法は、ネットワークを介して接続された端末装置に音声広告データを配信する音声広告配信方法であって、前記端末装置を操作するユーザを特定するユーザ特定情報を前記端末装置から取得するユーザ情報取得ステップと、前記ユーザ特定情報と前記ユーザに関する情報が記憶されたユーザ情報記憶手段のユーザとを関連付けて取得されるユーザに関する情報に基づいて、音声広告データが記憶された音声広告情報記憶手段から前記ユーザに適した音声広告データを抽出する音声広告抽出ステップと、前記端末装置から要求された音声コンテンツを取得する音声コンテンツ取得ステップと、前記抽出した音声広告データと前記音声コンテンツとを合成し、前記端末装置へ配信するデータ送信ステップと、を備えたことを特徴とする。
【００２０】
この発明によれば、前述と同様に、ユーザが関心を持ちやすい内容の音声広告データを配信することができるので、この音声広告を聴いたユーザの注意を引くことができる。また、音声として流すことができるので、ユーザが他の作業中であっても、高い広告効果を得ることができる。
【発明を実施するための最良の形態】
【００２１】
以下、本発明の実施形態を図面に基づいて説明する。
図１は、本発明の実施形態にかかる音声広告配信システムの構成を示すブロック図である。図２は、前記実施形態における音声広告配信システムの動作を示すフローチャートである。
［音声広告配信システムの構成］
図１に示すように、音声広告配信システム１０は、音声広告データを配信する音声広告配信装置１００と、インターネット２０を介して音声広告配信装置１００に接続され、音声広告データを受信するユーザ端末２００と、このユーザ端末２００に接続され、音声広告データを受信して再生する音声再生装置３００と、音声広告データを提供する広告主端末４００と、を備えている。
【００２２】
インターネット２０はＴＣＰ／ＩＰなどの汎用のプロトコルに基づくインターネットであるが、これに限られない。例えば、ＬＡＮ（Local Area Network）などのイントラネット、無線媒体により情報が送受信可能な複数の基地局がネットワークを構成する通信回線網や放送網などのネットワーク、さらには、データを直接受信するための媒体となる無線媒体自体など、データを送受信させるいずれの構成も利用できる。
【００２３】
音声広告配信装置１００は、ユーザ端末２００にインターネット２０を介して接続され、ユーザに適した音声広告データを配信する装置であり、記憶手段および演算処理手段を備えている。
記憶手段としては、ユーザに関する情報を記憶する属性情報データベース１０１と、行動情報データベース１０２と、音声広告データを記憶する音声広告データベース１０３と、音声コンテンツを記憶する音声コンテンツデータベース１０４と、カテゴリデータベース１０５と、を備えている。
ここで、属性情報データベース１０１および行動情報データベース１０２が本発明のユーザ情報記憶手段として機能し、音声広告データベース１０３が本発明の音声広告記憶手段として機能し、音声コンテンツデータベース１０４が本発明の音声コンテンツ記憶手段として機能する。
【００２４】
属性情報データベース１０１は、例えば、以下の表１に示すように、ユーザごとにユーザＩＤ、パスワード、名前、年齢、性別、郵便番号などの項目が関連付けられて１つのレコードとして記憶されるテーブル構造となっている。なお、項目はここに列挙したもの以外にも、例えば、アンケートの回答などユーザの属性に関するものであれば特に限定されない。
【００２５】
【表１】
2010146188.tif 000003
【００２６】
行動情報データベース１０２は、例えば、以下の表２に示すように、ユーザごとにユーザＩＤ、閲覧履歴、検索履歴、広告接触履歴、広告クリック履歴などの項目が関連付けられて１つのレコードとして記憶されるテーブル構造となっている。閲覧履歴は、ユーザが閲覧したウェブページのＵＲＬが記憶される。検索履歴は、検索サイトにおいてユーザが検索したキーワードが記憶される。広告接触履歴は、ユーザが閲覧するウェブページ上に表示された広告に関する情報が記憶される。広告に関する情報としては、例えば、商品名や商品分類などが挙げられる。広告クリック履歴は、ウェブページ上でユーザがクリックした広告に関する情報が記憶される。これらの項目には、複数の要素が記憶されていてもよい。
なお、項目はここに列挙したもの以外でも、ユーザのインターネット上における行動に関する情報であれば特に限定されない。
【００２７】
【表２】
2010146188.tif 000004
【００２８】
音声広告データベース１０３は、例えば、以下の表３に示すように、音声広告ごとに広告ＩＤ、広告名称、音声データ、時間、ＵＲＬ、カテゴリなどの項目が関連付けられて１つのレコードとして記憶されるテーブル構造となっている。広告名称は、広告する商品の商品名やキャッチフレーズなどが記憶される。音声データは、音声が録音されたデータ等である。時間は、音声データを音声として再生させたときの再生時間が記憶される。ＵＲＬは、音声広告データを提供する広告主のホームページのＵＲＬが記憶される。カテゴリは、広告する商品が分類されるカテゴリや、対象年齢、対象性別、対象地域等が記憶される。カテゴリには、複数のカテゴリが記憶されていてもよい。
なお、項目はここに列挙したもの以外でも、音声広告に関する情報であれば適宜追加されてもよい。
【００２９】
【表３】
2010146188.tif 000005
【００３０】
音声コンテンツデータベース１０４は、例えば、以下の表４に示すように、音声コンテンツごとにコンテンツＩＤ、コンテンツ題名、音声データ、時間、広告挿入位置、広告挿入時間などの項目が関連付けられて１つのレコードとして記憶されるテーブル構造となっている。音声コンテンツは、例えば、インターネット上で配信されるラジオなどが挙げられる。コンテンツ題名は、音声コンテンツの名称などが記憶される。時間は、音声広告データを挿入するための空白の時間も含めた再生時間が記憶される。広告挿入位置は、音声広告データを挿入するための空白の時間を示す位置情報、例えば、その位置における再生時間が記憶される。広告挿入時間は、広告挿入位置から音声広告データを再生する時間が記憶される。
なお、項目はここに列挙したもの以外でも、音声コンテンツとして配信するために必要な情報は適宜追加されてもよい。
【００３１】
【表４】
2010146188.tif 000006
【００３２】
カテゴリデータベース１０５は、例えば、以下の表５に示すように、カテゴリごとにカテゴリ名、キーワード候補などの項目が関連付けられて１つのレコードとして記憶されるテーブル構造となっている。キーワード候補には、そのカテゴリに分類されるキーワードが記憶される。また、キーワード候補には、複数のキーワードが記憶されてもよい。
【００３３】
【表５】
2010146188.tif 000007
【００３４】
演算手段としては、図１に示すように、ユーザからのログインを受け付けるログイン受付手段１１０と、ユーザに関する情報を記憶手段に記憶させる属性情報登録手段１２０と、行動情報登録手段１３０と、ユーザに適した音声広告データを抽出する音声広告抽出手段１４０と、音声コンテンツに音声広告データを組み込んで配信する音声コンテンツ配信手段１５０と、を備えている。
ここで、ログイン受付手段１１０が本発明のユーザ情報取得手段として機能し、音声コンテンツ配信手段１５０が本発明の音声コンテンツ取得手段およびデータ送信手段として機能する。
【００３５】
ログイン受付手段１１０は、ユーザ端末２００から受信したユーザＩＤおよびパスワードなどのユーザに関する情報を受け付け、属性情報データベース１０１に記憶されたユーザＩＤおよびパスワードと照合する。一致すればそのユーザを認証し、不一致の場合は認証せず、再度情報の入力を促すなどの処理を行う。なお、ユーザの新規登録の場合は、ユーザＩＤ、パスワードの他に、ユーザの属性に関する情報等も受け付ける。
【００３６】
属性情報登録手段１２０は、ユーザ端末２００から受信したユーザの属性に関する情報を属性情報データベース１０１に登録する。ユーザの新規登録の場合は、ユーザの情報を新規データとして属性情報データベース１０１に登録する。また、登録済みのユーザである場合は、ユーザの属性に関する情報が変更されると、属性情報データベース１０１に記憶された該当ユーザのデータを更新する。
【００３７】
行動情報登録手段１３０は、ユーザのインターネットにおける行動の内容を登録する。行動の内容としては、例えば、ウェブページの閲覧、キーワード検索、閲覧しているウェブページに掲載された広告へのアクセスなどがある。また、閲覧しているウェブページに広告が掲載されることも、ユーザの行動情報となる。
図示しない検知手段によりユーザがこのような行動をしたと検知されると、行動情報登録手段１３０は、前述の行動情報データベース１０２に適切な情報を登録する。すなわち、ユーザがウェブページの閲覧をした場合は、ユーザＩＤと閲覧したウェブページのＵＲＬとを関連付けて閲覧履歴として登録する。また、ユーザがキーワード検索をした場合は、ユーザＩＤと検索したキーワードとを関連付けて検索履歴として登録する。さらに、ユーザが閲覧したウェブページに広告が表示されている場合は、ユーザＩＤと表示されている広告に関する情報とを関連づけて広告接触履歴として登録する。そして、ユーザがウェブページに表示された広告をクリックした場合は、ユーザＩＤとクリックした広告に関する情報とを関連付けて広告クリック履歴として登録する。
【００３８】
音声広告抽出手段１４０は、ユーザに関する情報に基づいて、ユーザに適した音声広告データを音声広告データベース１０３から抽出する。ユーザに関する情報は、属性情報データベース１０１および行動情報データベース１０２に記憶された情報である。属性情報データベース１０１に記憶された情報はそのまま利用することができる。一方、行動情報データベース１０２に記憶された情報は、取得した情報をそれぞれカテゴリに分類する。
例えば、該当するユーザの閲覧履歴を取得した場合、閲覧履歴のＵＲＬが示すウェブページに表示されるキーワードと、カテゴリデータベース１０５に記憶されたキーワード候補と、を関連付け、関連付けられたカテゴリ名をそのＵＲＬのカテゴリとする。ここで、取得するカテゴリ名は複数でもよい。また、該当するユーザの検索履歴を取得した場合、取得した検索履歴のキーワードと、カテゴリデータベース１０５に記憶されたキーワード候補と、を関連付け、関連付けられたカテゴリ名をそのキーワードのカテゴリとする。なお、キーワードはカテゴリに分類しなくてもよく、記憶されているキーワードをそのまま用いることもできる。さらに、該当するユーザの広告接触履歴または広告クリック履歴を取得した場合、取得した広告情報とカテゴリデータベース１０５に記憶されたキーワード候補とを関連付け、関連付けられたカテゴリ名をその広告情報のカテゴリとする。このようにして、行動情報データベース１０２に記憶された情報をカテゴリに分類する。
【００３９】
そして、ユーザの属性に関する情報およびユーザの行動に関する情報が分類されたカテゴリと、音声広告データベース１０３に記憶されたカテゴリと、を関連付け、関連付けられた音声広告データを抽出する。なお、該当する音声広告データが複数ある場合は、ユーザの属性に関する情報およびユーザの行動に関する情報が分類されたカテゴリが最も多く含まれる音声広告データを優先して抽出する。なお、音声広告データは複数抽出してもよい。
【００４０】
音声コンテンツ配信手段１５０は、ユーザに要求された音声コンテンツを音声コンテンツデータベース１０４から抽出し、この音声コンテンツに、音声広告抽出手段１４０により抽出された音声広告データを挿入する。音声コンテンツには、予め音声広告データの挿入位置と挿入時間が決められており、音声コンテンツデータベース１０４に記憶された広告挿入位置および広告挿入時間に基づいて、この挿入時間に適合する音声広告データを挿入位置に組み込む。抽出した音声広告データは、同じものが繰り返し組み込まれていてもよいし、抽出された複数の音声広告データを組み合わせて組み込んでもよい。このようにして、複数の音声広告データを音声コンテンツに挿入して、ユーザに配信する音声データを生成する。そして、生成された音声データをユーザ端末２００に配信する。
また、図示しないが、音声広告配信装置１００は、例えば、ウェブページを画面表示として出力させる表示手段と、キーボードなどの入力手段と、音声配信サイトなどを配信するウェブページ配信手段と、などを備えている。
【００４１】
ユーザ端末２００は、インターネット２０を介して音声広告配信装置１００に接続された端末装置である。ユーザ端末２００は、ウェブページを画面表示として出力させる表示手段２１０と、キーボードなどの入力手段２２０と、データの送受信を行う図示しない送受信手段と、各種演算を行う図示しない演算手段と、音声コンテンツを再生可能な図示しない再生手段と、を備えている。
送受信手段は、ユーザの入力操作等により要求された音声コンテンツを音声広告配信装置１００に対して要求し、音声広告配信装置１００によって音声広告データが組み込まれた音声コンテンツを受信する。
再生手段は、受信した音声コンテンツを再生して音声出力する。
ユーザ端末２００としては特に限定されないが、例えば、宅内に設置されるデスクトップ型のパソコンやノート型のパソコンなどが挙げられ、宅内において無線または有線のＬＡＮ（Local Area Network）などのイントラネットを構築している。そして、送受信手段は、このＬＡＮ等で接続された別の装置、例えば音声再生装置３００に音声コンテンツを送信する。
【００４２】
音声再生装置３００は、宅内で構築された無線または有線のＬＡＮに、ユーザ端末２００とデータ送受信可能に接続された端末装置である。音声再生装置３００は、図示しないが、データを送受信する送受信手段と、受信した音声コンテンツを再生する再生手段と、を有している。音声再生装置３００は、ユーザ端末２００に接続可能であればどこに配置されてもよい。
なお、音声再生装置３００は、インターネット２０に直接接続し、ユーザ端末２００を介さずとも音声広告配信装置１００に接続可能な構成としてもよい。
【００４３】
広告主端末４００は、インターネット２０を介して音声広告配信装置１００およびユーザ端末２００に接続された端末装置である。広告主端末４００は、音声広告配信装置１００に音声広告データを入稿するほか、ユーザ端末２００からアクセスされた広告ページをユーザ端末２００に配信する。
なお、図１においては、１つのユーザ端末２００と１つの広告主端末４００とが音声広告配信装置１００に接続された構成を例示したが、実際には、音声広告配信装置１００は、多数の広告主端末４００から音声広告データを受け付け、多数のユーザ端末２００に対して音声データを提供するものである。
【００４４】
［音声広告配信システムの動作］
以下、図２を参照して音声広告配信システム１０の動作を説明する。
まず、ユーザは、ユーザ端末２００の入力手段２２０を入力操作し、音声広告配信装置１００にアクセスするために、例えば、ウェブブラウザを起動させてアドレスを入力し、音声配信サイトなどのウェブページを要求する。
音声広告配信装置１００は、図示しないウェブページ配信手段により、要求された音声配信サイトをユーザ端末２００に送信する。
ユーザ端末２００は、送受信手段で音声配信サイトを受信し、表示手段２１０により音声配信サイトを画面表示させる。音声配信サイトには、多数の音声コンテンツが選択可能に一覧表示されている。ユーザは、入力手段２２０を入力操作することによって、ログインＩＤおよびパスワード等のログイン情報を入力するとともに、所望の音声コンテンツを選択する。ユーザ端末２００の送受信手段は、ログイン情報と音声コンテンツの要求を音声広告配信装置１００へ送信する。
【００４５】
以下、音声広告配信装置１００の動作について説明する。
音声広告配信装置１００は、ユーザ端末２００から送信されたユーザ情報と音声コンテンツの要求を受信する（ステップＳ１）。
ログイン受付手段１１０は、受信したログイン情報に含まれるユーザＩＤおよびパスワードを、属性情報データベース１０１に記憶されたユーザＩＤおよびパスワードと関連付け、ログイン認証の可否を判定する（ステップＳ２）。属性情報データベース１０１に登録済みのユーザである場合は、Ｙｅｓとなり、ログインを認証する。一方、属性情報データベース１０１に登録されていないユーザである場合は、Ｎｏとなり、ログイン情報入力画面をユーザ端末に送信するなどの処理を行い、再度ログイン情報の入力を促す。なお、ログイン認証できない場合は、そのまま次のステップへ進み、音声広告データをランダムに抽出する構成としてもよい。
【００４６】
ログインが認証されると、音声広告抽出手段１４０は、ログインしたユーザに適した音声広告データを音声広告データベース１０３から抽出する（ステップＳ３）。具体的には、音声広告抽出手段１４０は、ログインしたユーザのユーザＩＤと、属性情報データベース１０１および行動情報データベース１０２に記憶されたユーザＩＤと、を関連付け、ユーザに関する情報を取得する。属性情報データベース１０１からは年齢、性別を取得でき、また、郵便番号から居住地域を取得することができる。一方、行動情報データベース１０２からは、各項目に記憶された情報とカテゴリデータベース１０５に記憶されたキーワード候補とを関連付け、関連付けられたカテゴリ名を取得することができる。そして、取得した年齢、性別、居住地域、およびカテゴリと、音声広告データベース１０３に記憶されたカテゴリと、を関連付け、関連付けられた音声広告データを抽出する。
【００４７】
具体的な例で説明する。前述の表１に記憶されているユーザＩＤ「AB123」の「たろう」がログイン認証されたとする。音声広告抽出手段１４０は、属性情報データベース１０１から、該ユーザに関する属性情報、すなわち年齢、性別、郵便番号を取得する。また、行動情報データベース１０２に記憶された各項目の内容とカテゴリデータベース１０５とを関連付けて、各項目に対するカテゴリを取得する。例えば、閲覧履歴に記憶されたＵＲＬが示すウェブページ上に表示されたキーワードが「犬」であれば、カテゴリは「ペット」である。また、検索履歴に記憶されたキーワードとカテゴリデータベース１０５に記憶されたキーワード候補とを関連付けると、カテゴリは「車」である。さらに、広告接触履歴および広告クリック履歴に記憶された広告情報とカテゴリデータベース１０５に記憶されたキーワード候補とを関連付けると、カテゴリは「車」である。すなわち、該ユーザに適したカテゴリは「犬」「車」である。このようにして、行動情報データベース１０２に記憶された各項目を解析し、ユーザの興味を推定する。
【００４８】
そして、取得した属性情報と、解析により得られたカテゴリに適合する音声広告データを、音声広告データベース１０３から抽出する。音声広告データベース１０３において、広告ＩＤ「123ACD」のカテゴリは「車、20代」であり、該ユーザに適合する。また、広告ＩＤ「877gfe」のカテゴリは「ペット」であり、該ユーザに適合する。したがって、この２つの音声広告データが抽出される。
【００４９】
次に、音声コンテンツ配信手段１５０は、音声コンテンツデータベース１０４からユーザ端末２００から要求された音声コンテンツを取得し、取得した音声コンテンツに、音声広告抽出手段１４０が抽出した音声広告データを挿入する。このとき、各音声コンテンツには、音声広告データを挿入するための時間等が予め決められており、音声コンテンツデータベース１０４に記憶された広告挿入位置および広告挿入時間に基づいて、取得した音声広告データのうち再生時間が適合する音声広告データを選択的に挿入する。そして、音声広告データが挿入された音声コンテンツをユーザ端末２００に送信する（ステップＳ４）。
【００５０】
ユーザ端末２００は、図示しない送受信手段により音声コンテンツを受信する。音声コンテンツを受信すると、演算手段により、ユーザ端末２００の図示しない記憶手段に記憶させ、ユーザが入力手段２２０を操作することにより、送受信手段は、記憶手段に記憶された音声コンテンツを音声再生装置３００に送信する。
【００５１】
音声再生装置３００は、受信した音声コンテンツを図示しない記憶手段に記憶させ、ユーザが再生手段を操作して所望の音声コンテンツを再生させる。音声再生装置３００は、ユーザ端末２００とＬＡＮを介して接続され、データ送受信可能な範囲に配置されている。したがって、ユーザが家事やその他の作業を行いながら、音声再生装置３００で再生される音声コンテンツを聴くことができる。
【００５２】
ここで、属性情報登録手段１２０および行動情報登録手段１３０は、随時該当するユーザに関する情報を登録または更新している。
また、広告主端末４００は、音声広告データを音声広告配信装置１００に入稿する際に、その音声広告を聴いてもらいたいユーザを指定することができる。例えば、20代の男性を対象とする場合は、音声広告データベース１０３のカテゴリに「20代、男性」と記憶させる。また、車に興味を持っている人を対象とする場合は音声広告データベース１０３のカテゴリに「車」と記憶させる。このように、広告主は、広告の対象を指定することも可能である。
【００５３】
［実施形態の作用効果］
上述した実施形態では、以下に示す作用効果を奏することができる。
（１）音声広告配信装置１００において、音声広告抽出手段１４０は、属性情報データベース１０１および行動情報データベース１０２に記憶されたユーザに関する情報に基づいて該ユーザに最適な音声広告データを抽出する。そして、音声コンテンツ配信手段１５０は、抽出した音声広告データを音声コンテンツの途中にＣＭとして挿入し、ユーザに配信する。これにより、ユーザが興味のある分野の広告を選択的に配信することができるので、広告効果の向上を図ることができる。
（２）また、音声広告データは音声コンテンツに組み込まれて配信されるため、ユーザが家事や他の作業と並行しながらでも音声再生装置３００から流れてくる音声広告を聴くことができる。したがって、ユーザに対する広告の機会が増え、広告効果の向上を図ることができる。
特に、ユーザは、他の作業をしながら聴く音声コンテンツには注意を向けていることが多い。そのような状況の中でユーザが興味を持った分野の音声広告データを配信することにより、より高い広告効果を得ることができる。
【００５４】
［変形例］
なお、本発明は、上述した実施形態に限定されるものではなく、本発明の目的を達成できる範囲で、以下に示される変形をも含むものである。
例えば、上記実施形態において、音声コンテンツ配信手段１５０および音声コンテンツデータベース１０４が、音声広告配信装置１００とは別の装置に配置されていてもよい。この場合、音声広告配信装置１００の音声広告抽出手段１４０で抽出された音声広告データが別の装置に配信され、別の装置がこの音声広告データを音声コンテンツに挿入してユーザ端末２００に配信する。これによれば、各装置の構成を簡単にすることができる。
【００５５】
また、上記実施形態において、行動情報データベース１０２では、閲覧履歴としてＵＲＬ、検索履歴としてキーワード、広告接触履歴および広告クリック履歴として広告に関する情報を記憶させ、音声広告抽出手段１４０がデータを取得する際に、取得したデータをカテゴリに分類することとした。しかしながら、これらの情報を登録する際に、それぞれをカテゴリに分類し、分類されたカテゴリ名を閲覧履歴、検索履歴、広告接触履歴および広告クリック履歴として登録してもよい。これによれば、音声広告抽出手段１４０の動作が簡略化されるため、音声コンテンツ配信時の処理を速くすることができる。
【００５６】
さらに、上記実施形態では、ユーザの属性に関する情報とユーザの行動に関する情報に基づいて、これらに適した音声広告データを抽出することとしたが、ユーザの属性に関する情報のみに基づいて音声広告データを抽出してもよいし、ユーザの行動に関する情報のみに基づいて音声広告データを抽出してもよい。
【００５７】
また、上記実施形態では、音声コンテンツには音声広告データを挿入するための挿入位置や音声広告データの再生時間等が予め決められており、取得した音声広告データを選択的に挿入することとしたが、このような構成に限られない。例えば、音声コンテンツのみの再生時間が決められており、音声コンテンツに音声広告データを合成する際に音声コンテンツを適当な再生時間で区切り、区切り位置に抽出した音声広告データを挿入して全再生データを作成するようにしてもよい。
【００５８】
そして、上述の実施形態において、音声再生装置３００で音声広告データが再生されている最中または直後に、音声再生装置３００で所定の操作を行うことで、該音声広告データに予め関連付けられているＵＲＬにアクセスできるようにしてもよい。この場合、音声再生装置３００で所定の操作を行えるような表示手段および入力手段を備えていることが好ましい。これにより、広告主が提供する商品のウェブサイトにユーザを導くことができるので、より高い広告効果が得られる。
【００５９】
そして、上記実施形態では、音声再生装置３００は、音声広告配信装置１００からユーザ端末２００を介して音声コンテンツを受信していたが、直接受信するようにしてもよい。この場合、音声再生装置３００は、ログイン画面および音声コンテンツの一覧表示を表示する表示手段および一覧表示された音声コンテンツの中から所望のものを選択可能な入力手段を備えていることが好ましい。このような装置として例えば、携帯電話や、ネットラジオ再生機器などが挙げられる。これによれば、ユーザは、音声再生装置３００の入力手段を操作することによりログイン情報および所望の音声コンテンツを入力し、これらの情報をインターネット２０を介して音声広告配信装置１００に送信する。音声広告配信装置１００でログインが認証されると、要求した音声コンテンツをインターネット２０を介して受信する。したがって、音声再生装置３００のみで音声コンテンツをダウンロードして再生することができるので、ユーザは複数の装置を準備する必要がなく、手軽に利用することができる。このため、ユーザの利用率が高まり、広告効果をより向上させることができる。
【産業上の利用可能性】
【００６０】
本発明は、ネットワーク上で音声広告データを配信する音声広告配信装置および音声広告配信システムとして利用できる。
【図面の簡単な説明】
【００６１】
【図１】本発明の実施形態にかかる音声広告配信装置を含む音声広告配信システムの構成を示すブロック図。
【図２】本実施形態にかかる音声広告配信装置の動作を示すフローチャート。
【符号の説明】
【００６２】
１０      音声広告配信システム
２０      インターネット
１００      音声広告配信装置
１０１      属性情報データベース
１０２      行動情報データベース
１０３      音声広告データベース
１０４      音声コンテンツデータベース
１０５      カテゴリデータベース
１１０      ログイン受付手段
１２０      属性情報登録手段
１３０      行動情報登録手段
１４０      音声広告抽出手段
１５０      音声コンテンツ配信手段
２００      ユーザ端末
３００      音声再生装置
４００      広告主端末
【図１】
2010146188.tif 000008
【図２】
2010146188.tif 000009